(57)【要約】【課題】本発明は、簡単な操作で、冷蔵商品と温蔵商品との陳列棚の比率を変更できるようにしたショーケースを提供することにある。【解決手段】ケース本体の断熱壁と庫内の背面パネルとの間に形成される冷気循環ダクトと、庫内に配設される上下方向に複数段の商品陳列棚とを備え、前記商品陳列棚を上下に区分して冷蔵商品と温蔵商品とを併売可能とするショーケースにおいて、前記商品陳列棚に着脱自在に取付けられ、前記商品陳列棚に対応して背面パネルに形成される切欠きを介して冷気循環ダクト内に進入して当該冷気循環ダクトを上下方向に遮へいする仕切板を設け、前記切欠き上下に区分される商品陳列棚の比率を変更可能なように上下方向に複数箇所に設け、前記背面パネルに回動自在に設けられ、常時は切欠きを閉塞し、前記循環ダクト内に進入する仕切板により押し開かれるカバーを設け、前記切欠きは、商品陳列棚位置に対応して上下に複数個形成され、それぞれの切欠きにカバーを設ける。【選択図】      図１
2008202937.tif 000002
【特許請求の範囲】
【請求項１】
ケース本体の断熱壁と庫内の背面パネルとの間に形成される冷気循環ダクトと、庫内に配設される上下方向に複数段の商品陳列棚とを備え、前記商品陳列棚を上下に区分して冷蔵商品と温蔵商品とを併売可能とするショーケースにおいて、前記商品陳列棚に着脱自在に取付けられ、前記商品陳列棚に対応して背面パネルに形成される切欠きを介して冷気循環ダクト内に進入して当該冷気循環ダクトを上下方向に遮へいする仕切板を設け、前記切欠き上下に区分される商品陳列棚の比率を変更可能なように上下方向に複数箇所に設け、前記背面パネルに回動自在に設けられ、常時は切欠きを閉塞し、前記循環ダクト内に進入する仕切板により押し開かれるカバーを設け、前記切欠きは、商品陳列棚位置に対応して上下に複数個形成され、それぞれの切欠きにカバーを設けたことを特徴とするショーケース。
【発明の詳細な説明】
【技術分野】
【０００１】
本発明は、商品陳列室内を冷蔵商品と温蔵商品との併売を可能とするために、陳列室内を仕切ることが可能なショーケースに関する。
【背景技術】
【０００２】
この種の冷蔵商品と温蔵商品とが併売可能な本発明の対象となるショーケースの全体構成を図５および図６を用いて説明する。
まず、図において、１は断熱筐体としてなる前面開放形のケース本体、２は庫内の商品陳列室３を取り巻いてケース本体１の外箱の断熱壁１ａと内箱の背面パネル３ａとの間に画成した冷気循環ダクト、４は冷却器、５は庫内ファン、６は冷凍機のコンデンシングユニットが収納されている機械室であり、商品陳列室３の庫内には上下段に並んで商品１００を載置する商品陳列棚が図示例では４段装備されており、上段から符号７ａ〜７ｄで示す。
この各商品陳列棚７ａ〜７ｄには、温蔵商品も販売可能なように図示しないヒータが設けられている（特許文献１参照）。
ここで、このようなショーケースは、冷蔵商品専用、温蔵商品専用あるいは冷蔵商品と温蔵商品とが併売可能なように構成されている。
すなわち、図に示すように、上部の２段に温蔵商品、下部の２段に冷蔵商品を展示して冷温商品併売用のショーケースとして設置した場合、２段目の商品陳列棚７ｂの下に冷温を区画するためのダンパー８ａを内蔵する仕切板８を冷気循環ダクト２の全幅に亙るように設け、この仕切板８に対応する庫内の背面パネル３ａの部分に切欠きとしての角孔３ｂを設ける。
【０００３】
この仕切板８は、冷温商品併売用のショーケースと使用される際に、ダンパー８ａが冷気循環ダクト２内に突出し、ダクト２を遮へいして冷気が上２段の商品陳列棚７ａ，７ｂに通風されないようにするとともに、冷気循環ダクト２を遮へいした際に下２段の商品陳列棚７ｃ，７ｄに対する冷気の分岐ダクトとしても用いられるものである。
このように、仕切板８のダンパー８ａを冷気循環ダクト２内に突出されることにより、冷温商品の併売を可能としている（特許文献２参照）。
この上記構成の場合、例えば、特許文献２で示すように冷温商品の陳列棚の比率が固定となるため、その陳列棚数の比率を変えるために仕切板８の位置を変更したいという要望に応えられない。
そこで、この要望に対応するために、温蔵商品の商品陳列棚を１段から２段に変更する場合の例として、例えば、特許文献３が知られている。
すなわち、この特許文献３の背面パネルは、冷蔵室と温蔵室との区画のための区画棚とダンパーとの移動範囲に対応する箇所が空間となっており、その空間を閉鎖するための摺動板が設けられ、区画棚とダンパーとの移動とともに、摺動板も移動し、空間を閉鎖する。
【０００４】
ここで、温蔵室を１段から２段に変更する場合には、冷蔵室の棚を取り外し、区画棚とダンパーとを下方に移動させて、その空いた空間に温蔵室用の棚を取り付け、１段から２段とするようにした構成が開示されている。
【特許文献１】特開平９−２１０５４５号公報
【特許文献２】特開２００２−１６８５４８号公報（図３，図４参照）
【特許文献３】特開平７−１０３６４３号公報
【発明の開示】
【発明が解決しようとする課題】
【０００５】
ところで、前記した従来構造では、操作性の面で次に記すような問題点がある。
すなわち、特許文献３では、予め大きな空間を背面パネルに必要とし、その背面パネルを閉鎖するための摺動板も大きなものが必要となり、また、商品陳列用の棚も取り外して、再度取り付ける必要があり、作業性も良くない。
本発明は上記の点に鑑みなされたものであり、その目的は前記課題を解決し、簡単な操作で、冷蔵商品と温蔵商品との陳列棚の比率を変更できるようにしたショーケースを提供することにある。
【課題を解決するための手段】
【０００６】
上記目的を達成するために、本発明によれば、ケース本体の断熱壁と庫内の背面パネルとの間に形成される冷気循環ダクトと、庫内に配設される上下方向に複数段の商品陳列棚とを備え、前記商品陳列棚を上下に区分して冷蔵商品と温蔵商品とを併売可能とするショーケースにおいて、前記商品陳列棚に着脱自在に取付けられ、前記商品陳列棚に対応して背面パネルに形成される切欠きを介して冷気循環ダクト内に進入して当該冷気循環ダクトを上下方向に遮へいする仕切板を設け、前記切欠き上下に区分される商品陳列棚の比率を変更可能なように上下方向に複数箇所に設け、前記背面パネルに回動自在に設けられ、常時は切欠きを閉塞し、前記循環ダクト内に進入する仕切板により押し開かれるカバーを設け、前記切欠きは、商品陳列棚位置に対応して上下に複数個形成され、それぞれの切欠きにカバーを設けるものである。
【発明の効果】
【０００７】
以上述べたように、本発明の構成によれば、ケース本体の断熱壁と庫内の背面パネルとの間に形成される冷気循環ダクトと、庫内に配設される上下方向に複数段の商品陳列棚とを備え、前記商品陳列棚を上下に区分して冷蔵商品と温蔵商品とを併売可能とするショーケースにおいて、前記商品陳列棚に着脱自在に取付けられ、前記商品陳列棚に対応して背面パネルに形成される切欠きを介して冷気循環ダクト内に進入して当該冷気循環ダクトを上下方向に遮へいする仕切板を設け、前記切欠き上下に区分される商品陳列棚の比率を変更可能なように上下方向に複数箇所に設け、前記背面パネルに回動自在に設けられ、常時は切欠きを閉塞し、前記循環ダクト内に進入する仕切板により押し開かれるカバーを設け、前記切欠きは、商品陳列棚位置に対応して上下に複数個形成され、それぞれの切欠きにカバーを設けたことにより、この仕切板の取り付け位置を変更するだけで、冷温商品の陳列比率を簡単に変更することができ、しかも、複数個の切欠きにより、上下に幅を広くすることができ、背の高い商品などにも対応できるようにするものである。
【発明を実施するための最良の形態】
【０００８】
以下、本発明の実施の形態を図１ないし図９に示す実施例に基づいて説明する。なお、実施例の図中で図５および図６に対応する同一部材には同じ符号を付してその説明は省略する。
まず、図１は仕切板により冷気循環ダクトを遮へいした状態を示す商品陳列棚部分の概略部分側面図を示し、図２は冷気循環ダクトを開放した状態でかつ仕切板を外した状態を示す商品陳列棚部分の概略部分側面図を示す。
図１，図２において、７１は、商品陳列棚の左右一対の棚ブラケットであり、この棚ブラケット７１に仕切板８が着脱自在に吊り下げられており、図示しないねじで前方へ飛び出さないように棚ブラケット７１に固定されている。
このダンパー８ａを有する仕切板８は、背面パネル３ａの全幅に亙るように設けられている切欠きとしての角穴３ｂに嵌まり込む大きさで設けられており、仕切板８の操作部としての取っ手８ｂを矢印Ａ方向に操作してダンパー８ａ部分を冷気循環ダクト２側へ突出させると、冷気循環ダクト２を上下に遮へいするもので、そのダンパー８ａの先端には、緩衝材８ｃを介してマグネットスイッチ８ｄが取り付けられており、外箱の断熱壁１ａとの密着性を高めている。
【０００９】
また、この仕切板８は、冷気循環ダクト２内に突出するダンパー８ａ部分と棚下部に位置する部分とに分けられ、ダクト２内に突出する部分のダンパー８ａの下部は開放し、棚下部の位置する部分は筒状の空間を有し、前面には前方へ引き出した際に下向きに開口する補助板８ｅを設け、冷気循環ダクト２内を遮へいした際の冷気の分岐ダクト２ａを確保している。
９は、角穴３ｂを閉塞するためのカバーで、仕切板８が取り付けられていない場合あるいは取り付けてあっても使用しない場合に、冷気の漏れを防ぐためのカバーであり、背面パネル３ａに蝶番１０を介して破線で示す矢印Ｂの範囲内で回動自在に取り付けられている。
なお、回動させる部材としては、蝶番１０に限るものではなく、ヒンジ結合あるいはピンなどの軸でもよく、カバー９が回動自在となれば良い。
また、この背面パネル３ａの角孔３ｂとカバー９は、最下段の棚以外であれば設けることができ、この実施例では、上２段の場合で説明する。
このような構成において、図５で示すように、仕切板８を商品陳列棚７ｂの下部に取り付けた状態で、冷気循環ダクト２を遮へいすると、上２段の商品陳列棚を温蔵商品用、下２段の商品陳列棚を冷蔵商品用となり、図３の側面図に示すようになる。
【００１０】
すなわち、商品陳列棚に仕切板を取り付けた状態で、取っ手８ｂを持って、矢印Ａ方向へ押し出すと、仕切板８のダンパー８ａはカバー９を押し上げ、断熱壁１ａにダンパー８ａのマグネットスイッチ８ｄが接する。このようにして冷気循環ダクト２が遮へいされ、上２段の商品陳列棚７ａ，７ｂが温蔵商品用の区画となり、下２段の商品陳列棚７ｃ，７ｄが冷蔵商品用の区画となる。
ここで、仕切板８より上段の商品は、商品陳列棚７ａ，７ｂのヒータにより加温され、温蔵商品が販売可能となり、下段の商品は、冷気が矢印Ｃで示すように、ダンパー８ａにあたり、仕切板８の中を通って、前方の補助板８ｅから冷気を吹き出し、吸込口に吸い込むことにより冷却され、冷蔵商品が販売可能となる。
次に、温蔵商品の陳列を２段から最上段の１段のみに変更する場合には、取っ手８ｂを持って、矢印Ｄの方向へ引っ張ると、仕切板８のダンパー８ａは、冷気循環ダクト２内から外れ、仕切板８を商品陳列棚７ｂから取り外すと、図２に示すように、カバー９は自重で前方へ回動し、角孔３ｂを塞ぐことなる。
この取り外した仕切板８を図４に示すように、最上段の商品陳列棚７ａの下に取り付け、先に説明した上下２段づつの場合と同様に、取っ手８ｂを持って、矢印Ａの方向へ押し出すと、仕切板８のダンパー８ａはカバー９を押し上げ、断熱壁１ａにダンパー８ａのマグネットスイッチ８ｄが接する。このようにして冷気循環ダクト２が遮へいされ、最上段の商品陳列棚７ａのみが温蔵商品用の区画となり、下３段の商品陳列棚７ｂないし７ｄが冷蔵商品用の区画となる。
【００１１】
ここで、仕切板８を介して最上段の商品は、商品陳列棚７ａのヒータにより加温され、温蔵商品が販売可能となり、下段の商品は、冷気が矢印Ｃで示すように、ダンパー８ａにあたり、仕切板８の中を通って、前方の補助板８ｅから冷気を吹き出し、吸込口に吸い込むことにより冷却され、冷蔵商品が販売可能となる。
このように、仕切板８の位置を変えるだけで、容易に冷温商品の陳列比率を変更することが可能になる。
次に、この変形例として、図７，図８を用いて説明する。
図７は背面パネルの正面図を示すもので、上２段の商品陳列棚の各位置で、角孔３ｂ，３１ｂを上下に連続して配置し、それぞれにカバー９，９１を有して、４箇所にて仕切板の仕切位置を変更可能するものであり、この構成において、この４箇所の角孔位置を選択することにより、各棚位置に１箇所のみ角孔を設けた構成に比べ、上下に幅を広くすることができ、背の高い商品などにも対応できるようにするものである。
また、図８は、図７に比べ、２箇所に連続して角孔３ｂ，３１ｂを配置して例を示した正面図である。
次に、この実施形態において、カバー９による背面パネル３ａの角孔３ｂを閉塞するが、この閉塞をより確実にするために構成として、図１，図２を用いて説明すると、例えば、蝶番１０を中心とする回動軸に対し、カバー９の重心が、カバー９により角孔３ｂを閉塞する方向に作用する位置となるようにカバー９を略Ｌ字形に形成し、切欠きを覆う辺９ａとは異なる辺である短辺９ｂに重心が位置するように短辺９ｂの長さ及び重さ設定することで、角孔３ｂを覆う際に図２の矢印Ｅで示すように角孔３ｂを閉塞する方向への回動範囲が大きくなり、カバー９にて、より確実に角孔３ｂを閉塞できることになる。
【００１２】
また、図９の商品陳列棚部分の概略部分側面図に示すように、重心調整用として重り９ｃを別途取り付けても良く、このように重りを設けることで、既に設置されているショーケースにも対応可能となる。
なお、上記実施形態では、商品陳列棚が上下に４段の場合について説明したが、この段数に限られるものではない。
【図面の簡単な説明】
【００１３】
【図１】本発明の実施の形態を示す仕切板により冷気循環ダクトを遮へいした状態を示す商品陳列棚部分の概略部分側面図である。
【図２】本発明の実施の形態を示す冷気循環ダクトを開放した状態でかつ仕切板を外した状態を示す商品陳列棚部分の概略部分側面図である。
【図３】本発明の実施の形態を示す多段形オープンショーケースの概略側面図である。
【図４】本発明の他の実施の形態を示す多段形オープンショーケースの概略側面図である。
【図５】本発明の実施対象である多段形オープンショーケースの概略側面図である。
【図６】本発明の実施対象である多段形オープンショーケースの概略正面図である。
【図７】本発明の他の実施の形態を示す背面パネルの概略正面図である。
【図８】本発明の他の実施の形態を示す多段形オープンショーケースの概略正面図である。
【図９】本発明の他の実施の形態を示す商品陳列棚部分の概略部分側面図である。
【符号の説明】
【００１４】
１            ケース本体
１ａ          断熱壁
３            商品陳列室
３ａ          背面パネル
３ｂ          角孔
７ａ〜７ｄ    商品陳列棚
７１          棚ブラケット
８            仕切板
８ａ          ダンパー
９            カバー
９ｂ          短辺
９ｃ          重り
１０            蝶番
１００            商品
【図１】
2008202937.tif 000003
【図２】
2008202937.tif 000004
【図３】
2008202937.tif 000005
【図４】
2008202937.tif 000006
【図５】
2008202937.tif 000007
【図６】
2008202937.tif 000008
【図７】
2008202937.tif 000009
【図８】
2008202937.tif 000010
【図９】
2008202937.tif 000011